(57)【要約】【課題】  ユーザ端末のディスプレイに表示する情報をユーザ端末毎に制御し、特に表示する情報としてユーザ毎に個別にカスタマイズされた情報を含むことができる表示情報個別制御システム及び表示情報個別制御方法を提供する。【解決手段】  ユーザ端末のディスプレイに表示するコンテンツデータを特定する個別表示データリストが表示情報個別制御サーバに格納されていて、表示情報個別制御サーバがユーザ端末から表示要求を受付けると、個別表示データリストに指定されたコンテンツサーバ等のＵＲＬを、又はポイントサーバからのポイント収集やユーザの嗜好に合った広告を選択する実行ファイルが指定されている場合には、実行ファイルの演算結果によりユーザ毎にカスタマイズされた情報を、ユーザ端末に送信する。ユーザ端末では、ディスプレイ上の所定の位置に、これらの情報を表示する。【選択図】        図１
2007188403.tif 000002
【特許請求の範囲】
【請求項１】
ユーザ端末のディスプレイに表示する情報をユーザ端末毎に制御するための表示情報個別制御システムであって、
ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データに、前記ユーザを識別する識別情報を付した個別表示データリストをユーザ別に格納する個別表示データリスト格納手段と、
前記識別情報を付した前記ユーザが獲得したポイント残高に関する情報をユーザ別に格納するポイント情報格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、
を備えていて、
前記個別表示データリスト格納手段に格納された個別表示データリストにおいて、前記コンテンツデータは前記コンテンツデータの格納領域であるアドレスにより特定されており、
前記表示用データ送信手段は、前記表示要求を行ったユーザに対応する個別表示データリストを前記識別情報をキーに特定し、前記個別表示データリストにおいて指定されたコンテンツデータのアドレスが前記ポイント情報格納手段のアドレスである場合には前記ポイント情報格納手段から取得した前記識別情報に対応するポイント残高を、前記ポイント情報格納手段のアドレス以外である場合には指定されたコンテンツデータのアドレスを、各々のディスプレイ上の表示位置に関する情報と併せて、表示用データとして前記ユーザ端末に送信し、
前記表示用データを受信したユーザ端末に備えられたデータ表示手段は、前記表示用データにおいて指定されたディスプレイ上の表示位置に、前記ポイント残高、又は前記アドレスから取得したコンテンツデータを表示すること
を特徴とする表示情報個別制御システム。
【請求項２】
ユーザ端末のディスプレイに表示する情報をユーザ端末毎に制御するための表示情報個別制御システムであって、
ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データに、前記ユーザを識別する識別情報を付した個別表示データリストをユーザ別に格納する個別表示データリスト格納手段と、
前記ユーザが獲得したポイント残高を演算するためのポイント演算プログラムを格納するポイント演算プログラム格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、
を備えていて、
前記個別表示データリスト格納手段に格納された個別表示データリストにおいて、前記コンテンツデータは前記コンテンツデータの格納領域、又は前記コンテンツデータとして用いられるポイント残高を演算するためのポイント演算プログラムの格納領域であるアドレスにより特定されており、
前記表示用データ送信手段は、前記表示要求を行ったユーザに対応する個別表示データリストを前記識別情報をキーに特定し、前記個別表示データリストにおいて指定されたコンテンツデータのアドレスが前記ポイント演算プログラムのアドレスである場合には前記ポイント演算プログラムにより演算された前記ユーザの獲得したポイント残高を、前記ポイント演算プログラムアドレス以外である場合には指定されたコンテンツデータのアドレスを、各々のディスプレイ上の表示位置に関する情報と併せて、表示用データとして前記ユーザ端末に送信し、
前記表示用データを受信したユーザ端末に備えられたデータ表示手段は、前記表示用データにおいて指定されたディスプレイ上の表示位置に、前記ポイント残高、又は前記アドレスから取得したコンテンツデータを表示すること
を特徴とする表示情報個別制御システム。
【請求項３】
ユーザ端末のディスプレイに表示する情報をユーザ端末毎に制御するための表示情報個別制御システムであって、
ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データに、前記ユーザを識別する識別情報を付した個別表示データリストをユーザ別に格納する個別表示データリスト格納手段と、
前記ユーザの属性に合致する広告コンテンツを選択するための広告選択プログラムを格納する広告選択プログラム格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、
を備えていて、
前記個別表示データリスト格納手段に格納された個別表示データリストにおいて、前記コンテンツデータは前記コンテンツデータの格納領域、又は前記コンテンツデータとして用いられる広告コンテンツを選択するための広告選択プログラムの格納領域であるアドレスにより特定されており、
前記表示用データ送信手段は、前記表示要求を行ったユーザに対応する個別表示データリストを前記識別情報をキーに特定し、前記個別表示データリストにおいて指定されたコンテンツデータのアドレスが前記広告選択プログラムのアドレスである場合には前記広告選択プログラムにより選択された広告コンテンツのアドレスを、前記広告選択プログラムアドレス以外である場合には指定されたコンテンツデータのアドレスを、各々のディスプレイ上の表示位置に関する情報と併せて、表示用データとして前記ユーザ端末に送信し、
前記表示用データを受信したユーザ端末に備えられたデータ表示手段は、前記表示用データにおいて指定されたディスプレイ上の表示位置に、前記アドレスから取得したコンテンツデータを表示すること
を特徴とする表示情報個別制御システム。
【請求項４】
ユーザ端末のディスプレイに表示する情報をユーザ端末毎に制御するための表示情報個別制御システムであって、
ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データに、前記ユーザを識別する識別情報を付した個別表示データリストをユーザ別に格納する個別表示データリスト格納手段と、
前記識別情報を付した前記ユーザが獲得したポイント残高に関する情報をユーザ別に格納するポイント情報格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、
を備えていて、
前記個別表示データリスト格納手段に格納された個別表示データリストにおいて、前記コンテンツデータは前記コンテンツデータの格納領域であるアドレスにより特定されており、
前記表示用データ送信手段は、前記表示要求を行ったユーザに対応する個別表示データリストを前記識別情報をキーに特定し、前記個別表示データリストにおいて指定されたコンテンツデータのアドレスが前記ポイント情報格納手段のアドレスである場合には前記ポイント情報格納手段から取得した前記識別情報に対応するポイント残高を、前記ポイント情報格納手段のアドレス以外である場合には指定されたコンテンツデータのアドレスから取得したコンテンツデータを、各々のディスプレイ上の表示位置に関する情報と併せて、表示用データとして前記ユーザ端末に送信し、
前記表示用データを受信したユーザ端末に備えられたデータ表示手段は、前記表示用データにおいて指定されたディスプレイ上の表示位置に、前記ポイント残高、又は前記コンテンツデータを表示すること
を特徴とする表示情報個別制御システム。
【請求項５】
ユーザ端末のディスプレイに表示する情報をユーザ端末毎に制御するための表示情報個別制御システムであって、
ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データに、前記ユーザを識別する識別情報を付した個別表示データリストをユーザ別に格納する個別表示データリスト格納手段と、
前記ユーザが獲得したポイント残高を演算するためのポイント演算プログラムを格納するポイント演算プログラム格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、
を備えていて、
前記個別表示データリスト格納手段に格納された個別表示データリストにおいて、前記コンテンツデータは前記コンテンツデータの格納領域、又は前記コンテンツデータとして用いられるポイント残高を演算するためのポイント演算プログラムの格納領域であるアドレスにより特定されており、
前記表示用データ送信手段は、前記表示要求を行ったユーザに対応する個別表示データリストを前記識別情報をキーに特定し、前記個別表示データリストにおいて指定されたコンテンツデータのアドレスが前記ポイント演算プログラムのアドレスである場合には前記ポイント演算プログラムにより演算された前記ユーザの獲得したポイント残高を、前記ポイント演算プログラムアドレス以外である場合には指定されたコンテンツデータのアドレスから取得したコンテンツデータを、各々のディスプレイ上の表示位置に関する情報と併せて、表示用データとして前記ユーザ端末に送信し、
前記表示用データを受信したユーザ端末に備えられたデータ表示手段は、前記表示用データにおいて指定されたディスプレイ上の表示位置に、前記ポイント残高、又は前記コンテンツデータを表示すること
を特徴とする表示情報個別制御システム。
【請求項６】
ユーザ端末のディスプレイに表示する情報をユーザ端末毎に制御するための表示情報個別制御システムであって、
ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、
前記個別データに、前記ユーザを識別する識別情報を付した個別表示データリストをユーザ別に格納する個別表示データリスト格納手段と、
前記ユーザの属性に合致する広告コンテンツを選択するための広告選択プログラムを格納する広告選択プログラム格納手段と、
ユーザ端末のディスプレイに表示するコンテンツデータの表示要求を、前記ユーザ端末より受信する表示要求受信手段と、
前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、
を備えていて、
前記個別表示データリスト格納手段に格納された個別表示データリストにおいて、前記コンテンツデータは前記コンテンツデータの格納領域、又は前記コンテンツデータとして用いられる広告コンテンツを選択するための広告選択プログラムの格納領域であるアドレスにより特定されており、
前記表示用データ送信手段は、前記表示要求を行ったユーザに対応する個別表示データリストを前記識別情報をキーに特定し、前記個別表示データリストにおいて指定されたコンテンツデータのアドレスが前記広告選択プログラムのアドレスである場合には前記広告選択プログラムにより選択された広告コンテンツのアドレスから取得したコンテンツデータを、前記広告選択プログラムアドレス以外である場合には指定されたコンテンツデータのアドレスから取得したコンテンツデータを、各々のディスプレイ上の表示位置に関する情報と併せて、表示用データとして前記ユーザ端末に送信し、
前記表示用データを受信したユーザ端末に備えられたデータ表示手段は、前記表示用データにおいて指定されたディスプレイ上の表示位置に、前記コンテンツデータを表示すること
を特徴とする表示情報個別制御システム。
【請求項７】
ユーザ端末のディスプレイに表示する情報をユーザ端末毎に制御するための表示情報個別制御方法であって、ネットワークを通じてユーザ端末と接続された制御サーバには、前記ユーザを識別する識別情報を付した個別表示データリストをユーザ別に格納する個別表示データリスト格納部と、前記識別情報を付した前記ユーザが獲得したポイント残高に関する情報をユーザ別に格納するポイント情報格納部とを備えていて、
前記制御サーバが、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信するステップと、
前記制御サーバが、前記個別データを、前記個別表示データリスト格納部の前記ユーザを識別する識別情報に対応する個別表示データリストに記録するステップと、
前記制御サーバが、ユーザ端末のディスプレイに表示するコンテンツデータの表示要求を、前記ユーザ端末より受信するステップと、
前記制御サーバが、前記表示要求を受信すると、前記個別データ格納部に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信するステップと、
を有していて、
前記個別表示データリスト格納部に格納された個別表示データリストにおいて、前記コンテンツデータは前記コンテンツデータの格納領域であるアドレスにより特定されており、
前記表示用データを送信するステップにおいては、前記表示要求を行ったユーザに対応する個別表示データリストを前記識別情報をキーに特定し、前記個別表示データリストにおいて指定されたコンテンツデータのアドレスが前記ポイント情報格納部のアドレスである場合には前記ポイント情報格納部から取得した前記識別情報に対応するポイント残高を、前記ポイント情報格納部のアドレス以外である場合には指定されたコンテンツデータのアドレスを、各々のディスプレイ上の表示位置に関する情報と併せて、表示用データとして前記ユーザ端末に送信し、
前記表示用データを受信したユーザ端末は、前記表示用データにおいて指定されたディスプレイ上の表示位置に、前記ポイント残高、又は前記アドレスから取得したコンテンツデータを表示すること
を特徴とする表示情報個別制御方法。
【請求項８】
ユーザ端末のディスプレイに表示する情報をユーザ端末毎に制御するための表示情報個別制御方法であって、ネットワークを通じてユーザ端末と接続された制御サーバには、前記ユーザを識別する識別情報を付した個別表示データリストをユーザ別に格納する個別表示データリスト格納部と、前記ユーザが獲得したポイント残高を演算するためのポイント演算プログラムを格納するポイント演算プログラム格納手段部とを備えていて、
前記制御サーバが、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信するステップと、
前記制御サーバが、前記個別データを、前記個別表示データリスト格納部の前記ユーザを識別する識別情報に対応する個別表示データリストに記録するステップと、
前記制御サーバが、ユーザ端末のディスプレイに表示するコンテンツデータの表示要求を、前記ユーザ端末より受信するステップと、
前記制御サーバが、前記表示要求を受信すると、前記個別データ格納部に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信するステップと、
を有していて、
前記個別表示データリスト格納部に格納された個別表示データリストにおいて、前記コンテンツデータは前記コンテンツデータの格納領域、又は前記コンテンツデータとして用いられるポイント残高を演算するためのポイント演算プログラムの格納領域であるアドレスにより特定されており、
前記表示用データを送信するステップでは、前記表示要求を行ったユーザに対応する個別表示データリストを前記識別情報をキーに特定し、前記個別表示データリストにおいて指定されたコンテンツデータのアドレスが前記ポイント演算プログラムのアドレスである場合には前記ポイント演算プログラムにより演算された前記ユーザの獲得したポイント残高を、前記ポイント演算プログラムアドレス以外である場合には指定されたコンテンツデータのアドレスを、各々のディスプレイ上の表示位置に関する情報と併せて、表示用データとして前記ユーザ端末に送信し、
前記表示用データを受信したユーザ端末は、前記表示用データにおいて指定されたディスプレイ上の表示位置に、前記ポイント残高、又は前記アドレスから取得したコンテンツデータを表示すること
を特徴とする表示情報個別制御方法。
【請求項９】
ユーザ端末のディスプレイに表示する情報をユーザ端末毎に制御するための表示情報個別制御方法であって、ネットワークを通じてユーザ端末と接続された制御サーバには、前記ユーザを識別する識別情報を付した個別表示データリストをユーザ別に格納する個別表示データリスト格納部と、前記ユーザの属性に合致する広告コンテンツを選択するための広告選択プログラムを格納する広告選択プログラム格納部とを備えていて、
前記制御サーバが、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信するステップと、
前記制御サーバが、前記個別データを、前記個別表示データリスト格納部の前記ユーザを識別する識別情報に対応する個別表示データリストに記録するステップと、
前記制御サーバが、ユーザ端末のディスプレイに表示するコンテンツデータの表示要求を、前記ユーザ端末より受信するステップと、
前記制御サーバが、前記表示要求を受信すると、前記個別データ格納部に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信するステップと、
を有していて、
前記個別表示データリスト格納部に格納された個別表示データリストにおいて、前記コンテンツデータは前記コンテンツデータの格納領域、又は前記コンテンツデータとして用いられる広告コンテンツを選択するための広告選択プログラムの格納領域であるアドレスにより特定されており、
前記表示用データを送信するステップでは、前記表示要求を行ったユーザに対応する個別表示データリストを前記識別情報をキーに特定し、前記個別表示データリストにおいて指定されたコンテンツデータのアドレスが前記広告選択プログラムのアドレスである場合には前記広告選択プログラムにより選択された広告コンテンツのアドレスを、前記広告選択プログラムアドレス以外である場合には指定されたコンテンツデータのアドレスを、各々のディスプレイ上の表示位置に関する情報と併せて、表示用データとして前記ユーザ端末に送信し、
前記表示用データを受信したユーザ端末は、前記表示用データにおいて指定されたディスプレイ上の表示位置に、前記アドレスから取得したコンテンツデータを表示すること
を特徴とする表示情報個別制御方法。
【請求項１０】
ユーザ端末のディスプレイに表示する情報をユーザ端末毎に制御するための表示情報個別制御方法であって、ネットワークを通じてユーザ端末と接続された制御サーバには、前記ユーザを識別する識別情報を付した個別表示データリストをユーザ別に格納する個別表示データリスト格納部と、前記識別情報を付した前記ユーザが獲得したポイント残高に関する情報をユーザ別に格納するポイント情報格納部とを備えていて、
前記制御サーバが、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信するステップと、
前記制御サーバが、前記個別データを、前記個別表示データリスト格納部の前記ユーザを識別する識別情報に対応する個別表示データリストに記録するステップと、
前記制御サーバが、ユーザ端末のディスプレイに表示するコンテンツデータの表示要求を、前記ユーザ端末より受信するステップと、
前記制御サーバが、前記表示要求を受信すると、前記個別データ格納部に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信するステップと、
を有していて、
前記個別表示データリスト格納部に格納された個別表示データリストにおいて、前記コンテンツデータは前記コンテンツデータの格納領域であるアドレスにより特定されており、
前記表示用データを送信するステップでは、前記表示要求を行ったユーザに対応する個別表示データリストを前記識別情報をキーに特定し、前記個別表示データリストにおいて指定されたコンテンツデータのアドレスが前記ポイント情報格納部のアドレスである場合には前記ポイント情報格納部から取得した前記識別情報に対応するポイント残高を、前記ポイント情報格納部のアドレス以外である場合には指定されたコンテンツデータのアドレスから取得したコンテンツデータを、各々のディスプレイ上の表示位置に関する情報と併せて、表示用データとして前記ユーザ端末に送信し、
前記表示用データを受信したユーザ端末は、前記表示用データにおいて指定されたディスプレイ上の表示位置に、前記ポイント残高、又は前記コンテンツデータを表示すること
を特徴とする表示情報個別制御方法。
【請求項１１】
ユーザ端末のディスプレイに表示する情報をユーザ端末毎に制御するための表示情報個別制御方法であって、ネットワークを通じてユーザ端末と接続された制御サーバには、前記ユーザを識別する識別情報を付した個別表示データリストをユーザ別に格納する個別表示データリスト格納部と、前記ユーザが獲得したポイント残高を演算するためのポイント演算プログラムを格納するポイント演算プログラム格納手段部とを備えていて、
前記制御サーバは、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信するステップと、
前記制御サーバが、前記個別データを、前記個別表示データリスト格納部の前記ユーザを識別する識別情報に対応する個別表示データリストに記録するステップと、
前記制御サーバが、ユーザ端末のディスプレイに表示するコンテンツデータの表示要求を、前記ユーザ端末より受信するステップと、
前記制御サーバが、前記表示要求を受信すると、前記個別データ格納部に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信するステップと、
を有していて、
前記個別表示データリスト格納部に格納された個別表示データリストにおいて、前記コンテンツデータは前記コンテンツデータの格納領域、又は前記コンテンツデータとして用いられるポイント残高を演算するためのポイント演算プログラムの格納領域であるアドレスにより特定されており、
前記表示用データを送信するステップでは、前記表示要求を行ったユーザに対応する個別表示データリストを前記識別情報をキーに特定し、前記個別表示データリストにおいて指定されたコンテンツデータのアドレスが前記ポイント演算プログラムのアドレスである場合には前記ポイント演算プログラムにより演算された前記ユーザの獲得したポイント残高を、前記ポイント演算プログラムアドレス以外である場合には指定されたコンテンツデータのアドレスから取得したコンテンツデータを、各々のディスプレイ上の表示位置に関する情報と併せて、表示用データとして前記ユーザ端末に送信し、
前記表示用データを受信したユーザ端末は、前記表示用データにおいて指定されたディスプレイ上の表示位置に、前記ポイント残高、又は前記コンテンツデータを表示すること
を特徴とする表示情報個別制御方法。
【請求項１２】
ユーザ端末のディスプレイに表示する情報をユーザ端末毎に制御するための表示情報個別制御方法であって、ネットワークを通じてユーザ端末と接続された制御サーバには、前記ユーザを識別する識別情報を付した個別表示データリストをユーザ別に格納する個別表示データリスト格納部と、前記ユーザの属性に合致する広告コンテンツを選択するための広告選択プログラムを格納する広告選択プログラム格納部とを備えていて、
前記制御サーバが、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信するステップと、
前記制御サーバが、前記個別データを、前記個別表示データリスト格納部の前記ユーザを識別する識別情報に対応する個別表示データリストに記録するステップと、
前記制御サーバが、ユーザ端末のディスプレイに表示するコンテンツデータの表示要求を、前記ユーザ端末より受信するステップと、
前記制御サーバが、前記表示要求を受信すると、前記個別データ格納部に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信するステップと、
を有していて、
前記個別表示データリスト格納部に格納された個別表示データリストにおいて、前記コンテンツデータは前記コンテンツデータの格納領域、又は前記コンテンツデータとして用いられる広告コンテンツを選択するための広告選択プログラムの格納領域であるアドレスにより特定されており、
前記表示用データを送信するステップは、前記表示要求を行ったユーザに対応する個別表示データリストを前記識別情報をキーに特定し、前記個別表示データリストにおいて指定されたコンテンツデータのアドレスが前記広告選択プログラムのアドレスである場合には前記広告選択プログラムにより選択された広告コンテンツのアドレスから取得したコンテンツデータを、前記広告選択プログラムアドレス以外である場合には指定されたコンテンツデータのアドレスから取得したコンテンツデータを、各々のディスプレイ上の表示位置に関する情報と併せて、表示用データとして前記ユーザ端末に送信し、
前記表示用データを受信したユーザ端末は、前記表示用データにおいて指定されたディスプレイ上の表示位置に、前記コンテンツデータを表示すること
を特徴とする表示情報個別制御方法。
【発明の詳細な説明】
【技術分野】
【０００１】
本発明は、ユーザ端末のディスプレイに表示する情報をユーザ端末毎に制御するための表示情報個別制御システム及び表示情報個別制御方法に関するものである。
【背景技術】
【０００２】
インターネットが個人レベルにおいても極めて一般的な情報取得ツールとなり、インターネットユーザはニュース、商品情報、お気に入りのブログなど、多様な情報をＷｅｂサイトから収集するようになっている。インターネットを介して収集する情報の種類やその組合せは、ユーザによって異なることが通常であるが、ユーザ毎のニーズに応じてインターネットから収集した情報をコンピュータのディスプレイ上に適切に配置して一覧することができれば、ユーザの利便性は格段に向上するものと考えられる。
【０００３】
このようなニーズに対応するための技術として、ユーザ毎にディスプレイ上に表示したいコンテンツを予め管理サーバに登録しておき、ディスプレイ上のユーザが指定した表示位置に、コンテンツを自動表示させる情報個別管理システムに関する発明が開示されている（例えば、特許文献１参照。）。この発明においては、コンテンツをＵＲＬ等のアドレスで指定し、ディスプレイ上の表示位置や表示形式、表示タイミング等を管理サーバに予め登録することによって、管理サーバにおいて各々のコンテンツの更新作業を行わなくても、ユーザのディスプレイにはコンテンツが自動的に最新の情報に更新して表示されることとなっている。
【０００４】
【特許文献１】特許第３６３８８８４号公報
【発明の開示】
【発明が解決しようとする課題】
【０００５】
しかしながら、特許文献１記載の発明においては、コンテンツをＵＲＬ等のアドレスで指定するものであるため、各々のＵＲＬにより指定されたＷｅｂページにアクセスすることによって、インターネット上で提供される汎用的な情報をそのままディスプレイ上に表示することはできるものの、ユーザ毎に個別にカスタマイズされた情報、例えばユーザがＥＣサイト等で商品を購買して獲得したポイント残高に関する情報や、ユーザの嗜好に合致するように選択された広告などの情報を表示することができない。
【０００６】
インターネット上で提供される情報やサービスの多様化に伴って、ユーザがインターネット上で取得する情報も、Ｗｅｂページに表示されるニュースや商品情報のみではなく、会員制のＥＣサイトやオンラインの金融サービス等で獲得したポイント情報の参照、Ｗｅｂページの閲覧履歴や商品の購入履歴等の分析から選択されたリコメンド情報の提供など、ユーザ毎に個別にカスタマイズされた情報にまで対象が拡大している。ユーザのディスプレイに表示される情報についても、これらの情報を幅広く含むものであることが好ましい。
【０００７】
本発明は、このような課題に対応するためになされたものであり、ユーザ端末のディスプレイに表示する情報をユーザ端末毎に制御するための表示情報個別制御システム及び表示情報個別制御方法であって、特に表示する情報としてユーザ毎に個別にカスタマイズされた情報を含むことができるものを提供することを目的とするものである。
【課題を解決するための手段】
【０００８】
本願にかかる課題を解決する第１の発明は、ユーザ端末のディスプレイに表示する情報をユーザ端末毎に制御するための表示情報個別制御システムであって、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データに、前記ユーザを識別する識別情報を付した個別表示データリストをユーザ別に格納する個別表示データリスト格納手段と、前記識別情報を付した前記ユーザが獲得したポイント残高に関する情報をユーザ別に格納するポイント情報格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、を備えていて、前記個別表示データリスト格納手段に格納された個別表示データリストにおいて、前記コンテンツデータは前記コンテンツデータの格納領域であるアドレスにより特定されており、前記表示用データ送信手段は、前記表示要求を行ったユーザに対応する個別表示データリストを前記識別情報をキーに特定し、前記個別表示データリストにおいて指定されたコンテンツデータのアドレスが前記ポイント情報格納手段のアドレスである場合には前記ポイント情報格納手段から取得した前記識別情報に対応するポイント残高を、前記ポイント情報格納手段のアドレス以外である場合には指定されたコンテンツデータのアドレスを、各々のディスプレイ上の表示位置に関する情報と併せて、表示用データとして前記ユーザ端末に送信し、前記表示用データを受信した前記ユーザ端末に備えられたデータ表示手段は、前記表示用データにおいて指定されたディスプレイ上の表示位置に、前記ポイント残高、又は前記アドレスから取得したコンテンツデータを表示することを特徴とする表示情報個別制御システムである。
【０００９】
第１の発明においては、ユーザ端末のディスプレイに表示するコンテンツデータとして、各々のユーザが獲得したポイント残高に関する情報が格納された領域のアドレスを指定することによって、ユーザ毎に獲得したポイント残高をユーザ端末のディスプレイのユーザが指定した表示位置に、自動的に表示させることができる。
【００１０】
本願にかかる課題を解決する第２の発明は、ユーザ端末のディスプレイに表示する情報をユーザ端末毎に制御するための表示情報個別制御システムであって、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データに、前記ユーザを識別する識別情報を付した個別表示データリストをユーザ別に格納する個別表示データリスト格納手段と、前記ユーザが獲得したポイント残高を演算するためのポイント演算プログラムを格納するポイント演算プログラム格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、を備えていて、前記個別表示データリスト格納手段に格納された個別表示データリストにおいて、前記コンテンツデータは前記コンテンツデータの格納領域、又は前記コンテンツデータとして用いられるポイント残高を演算するためのポイント演算プログラムの格納領域であるアドレスにより特定されており、前記表示用データ送信手段は、前記表示要求を行ったユーザに対応する個別表示データリストを前記識別情報をキーに特定し、前記個別表示データリストにおいて指定されたコンテンツデータのアドレスが前記ポイント演算プログラムのアドレスである場合には前記ポイント演算プログラムにより演算された前記ユーザの獲得したポイント残高を、前記ポイント演算プログラムアドレス以外である場合には指定されたコンテンツデータのアドレスを、各々のディスプレイ上の表示位置に関する情報と併せて、表示用データとして前記ユーザ端末に送信し、前記表示用データを受信した前記ユーザ端末に備えられたデータ表示手段は、前記表示用データにおいて指定されたディスプレイ上の表示位置に、前記ポイント残高、又は前記アドレスから取得したコンテンツデータを表示することを特徴とする表示情報個別制御システムである。
【００１１】
第２の発明においては、ユーザ端末のディスプレイに表示するコンテンツデータを特定するために、ディスプレイの所定の領域に表示する情報としてポイント演算プログラムを指定することにより、ユーザ端末から表示要求を受け付けるとポイント演算プログラムを起動して最新のポイント残高を演算し、ユーザ毎に獲得したポイント残高をユーザ端末のディスプレイのユーザが指定した表示位置に、自動的に表示させることができる。
【００１２】
第１の発明及び第２の発明において、ポイント残高の対象となるポイントの種類は特に限定されるものではなく、例えば会員制のＥＣサイトにおける商品購買で獲得したポイント、オンラインの金融サービスの利用によって獲得したポイントなどを対象にすることができる。ポイントの対象は複数の異なるサーバに備えられるものであってもよく、定期的に、或いはユーザの表示要求によってポイント残高を演算する実行ファイルを起動して、ユーザの獲得したポイント残高に関する情報を収集する。
【００１３】
本願にかかる課題を解決する第３の発明は、ユーザ端末のディスプレイに表示する情報をユーザ端末毎に制御するための表示情報個別制御システムであって、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データに、前記ユーザを識別する識別情報を付した個別表示データリストをユーザ別に格納する個別表示データリスト格納手段と、前記ユーザの属性に合致する広告コンテンツを選択するための広告選択プログラムを格納する広告選択プログラム格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、を備えていて、前記個別表示データリスト格納手段に格納された個別表示データリストにおいて、前記コンテンツデータは前記コンテンツデータの格納領域、又は前記コンテンツデータとして用いられる広告コンテンツを選択するための広告選択プログラムの格納領域であるアドレスにより特定されており、前記表示用データ送信手段は、前記表示要求を行ったユーザに対応する個別表示データリストを前記識別情報をキーに特定し、前記個別表示データリストにおいて指定されたコンテンツデータのアドレスが前記広告選択プログラムのアドレスである場合には前記広告選択プログラムにより選択された広告コンテンツのアドレスを、前記広告選択プログラムアドレス以外である場合には指定されたコンテンツデータのアドレスを、各々のディスプレイ上の表示位置に関する情報と併せて、表示用データとして前記ユーザ端末に送信し、前記表示用データを受信した前記ユーザ端末に備えられたデータ表示手段は、前記表示用データにおいて指定されたディスプレイ上の表示位置に、前記アドレスから取得したコンテンツデータを表示することを特徴とする表示情報個別制御システムである。
【００１４】
第３の発明においては、ユーザ端末のディスプレイに表示するコンテンツデータを特定するために、ディスプレイの所定の領域に表示する情報として広告選択プログラムを指定することにより、ユーザ端末から表示要求を受け付けると広告選択プログラムを起動してユーザの嗜好に合った広告を選択し、選択した広告情報をユーザ端末のディスプレイのユーザが指定した表示位置に、自動的に表示させることができる。
【００１５】
また、第１の発明乃至第３の発明は、いずれもＷｅｂページのアドレスを指定することによって、受信したアドレスからユーザ端末が表示する情報を取得するよう構成されているが、これらのアドレスから取得したＷｅｂページの表示用データそのものをユーザ端末に送信するよう構成してもよい。
【００１６】
つまり、第１の発明は、ユーザ端末のディスプレイに表示する情報をユーザ端末毎に制御するための表示情報個別制御システムであって、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データに、前記ユーザを識別する識別情報を付した個別表示データリストをユーザ別に格納する個別表示データリスト格納手段と、前記識別情報を付した前記ユーザが獲得したポイント残高に関する情報をユーザ別に格納するポイント情報格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、を備えていて、前記個別表示データリスト格納手段に格納された個別表示データリストにおいて、前記コンテンツデータは前記コンテンツデータの格納領域であるアドレスにより特定されており、前記表示用データ送信手段は、前記表示要求を行ったユーザに対応する個別表示データリストを前記識別情報をキーに特定し、前記個別表示データリストにおいて指定されたコンテンツデータのアドレスが前記ポイント情報格納手段のアドレスである場合には前記ポイント情報格納手段から取得した前記識別情報に対応するポイント残高を、前記ポイント情報格納手段のアドレス以外である場合には指定されたコンテンツデータのアドレスから取得したコンテンツデータを、各々のディスプレイ上の表示位置に関する情報と併せて、表示用データとして前記ユーザ端末に送信し、前記表示用データを受信したユーザ端末に備えられたデータ表示手段は、前記表示用データにおいて指定されたディスプレイ上の表示位置に、前記ポイント残高、又は前記コンテンツデータを表示することを特徴とすることもできる。
【００１７】
第２の発明は、ユーザ端末のディスプレイに表示する情報をユーザ端末毎に制御するための表示情報個別制御システムであって、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データに、前記ユーザを識別する識別情報を付した個別表示データリストをユーザ別に格納する個別表示データリスト格納手段と、前記ユーザが獲得したポイント残高を演算するためのポイント演算プログラムを格納するポイント演算プログラム格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、を備えていて、前記個別表示データリスト格納手段に格納された個別表示データリストにおいて、前記コンテンツデータは前記コンテンツデータの格納領域、又は前記コンテンツデータとして用いられるポイント残高を演算するためのポイント演算プログラムの格納領域であるアドレスにより特定されており、前記表示用データ送信手段は、前記表示要求を行ったユーザに対応する個別表示データリストを前記識別情報をキーに特定し、前記個別表示データリストにおいて指定されたコンテンツデータのアドレスが前記ポイント演算プログラムのアドレスである場合には前記ポイント演算プログラムにより演算された前記ユーザの獲得したポイント残高を、前記ポイント演算プログラムアドレス以外である場合には指定されたコンテンツデータのアドレスから取得したコンテンツデータを、各々のディスプレイ上の表示位置に関する情報と併せて、表示用データとして前記ユーザ端末に送信し、前記表示用データを受信したユーザ端末に備えられたデータ表示手段は、前記表示用データにおいて指定されたディスプレイ上の表示位置に、前記ポイント残高、又は前記コンテンツデータを表示することを特徴とすることもできる。
【００１８】
第３の発明は、ユーザ端末のディスプレイに表示する情報をユーザ端末毎に制御するための表示情報個別制御システムであって、ユーザ端末を操作するユーザが選択した前記ユーザ端末のディスプレイに表示するコンテンツデータを特定する情報及び前記コンテンツデータのディスプレイ上の表示位置に関する情報を含む個別データを、前記ユーザ端末より受信する個別データ受信手段と、前記個別データに、前記ユーザを識別する識別情報を付した個別表示データリストをユーザ別に格納する個別表示データリスト格納手段と、前記ユーザの属性に合致する広告コンテンツを選択するための広告選択プログラムを格納する広告選択プログラム格納手段と、ユーザ端末のディスプレイに表示するコンテンツデータの表示要求を、前記ユーザ端末より受信する表示要求受信手段と、前記表示要求を受信すると、前記個別データ格納手段に格納された個別表示データリストから前記表示要求を行ったユーザに対応する個別表示データリストを特定して、前記個別表示データリストから特定される前記ユーザ端末にコンテンツデータを表示するために必要な表示用データを前記ユーザ端末に送信する表示用データ送信手段と、を備えていて、前記個別表示データリスト格納手段に格納された個別表示データリストにおいて、前記コンテンツデータは前記コンテンツデータの格納領域、又は前記コンテンツデータとして用いられる広告コンテンツを選択するための広告選択プログラムの格納領域であるアドレスにより特定されており、前記表示用データ送信手段は、前記表示要求を行ったユーザに対応する個別表示データリストを前記識別情報をキーに特定し、前記個別表示データリストにおいて指定されたコンテンツデータのアドレスが前記広告選択プログラムのアドレスである場合には前記広告選択プログラムにより選択された広告コンテンツのアドレスから取得したコンテンツデータを、前記広告選択プログラムアドレス以外である場合には指定されたコンテンツデータのアドレスから取得したコンテンツデータを、各々のディスプレイ上の表示位置に関する情報と併せて、表示用データとして前記ユーザ端末に送信し、前記表示用データを受信したユーザ端末に備えられたデータ表示手段は、前記表示用データにおいて指定されたディスプレイ上の表示位置に、前記コンテンツデータを表示することを特徴とすることもできる。
【００１９】
さらに、第１の発明乃至第３の発明は、表示情報個別制御システムの各々の構成に対応して、各々の構成の表示情報個別制御システムによって実行される表示情報個別制御方法として特定することもできる。
【発明の効果】
【００２０】
本発明によって、インターネットを利用するユーザは、選択した情報をディスプレイ上の自ら指定した位置に最新の情報に更新しながら表示できる。表示する情報には、インターネット上の汎用的な情報のみでなく、ユーザの獲得したポイント残高やユーザの嗜好に合わせて選択された広告など、ユーザ毎に個別にカスタマイズされた情報も対象に含むことができる。
【発明を実施するための最良の形態】
【００２１】
本発明を実施するための最良の形態について、図面を用いて以下に詳細に説明する。尚、以下に説明する実施の態様は、本発明の実施形態の一例であって、本発明はかかる実施形態に限定されるものではない。
【００２２】
図１は、本発明にかかる表示情報個別制御システムの概要を示すである。図２は、本発明にかかる表示情報個別制御システムの構成を示すブロック図である。図３は、本発明にかかる表示情報個別制御システムにおけるユーザ端末のディスプレイの表示レイアウトの一例を示す図である。図４は、本発明にかかる表示情報個別制御システムにおける個別表示データリストの一例を示す図である。図５、図６は、本発明にかかる表示情報個別制御システムにおけるポイント情報の一例を示す、それぞれ第１、第２の図である。図７は、本発明にかかる表示情報個別制御システムにおけるアクセスログの一例を示す図である。図８、図９は、本発明にかかる表示情報個別制御システムにおいて、表示コンテンツとしてポイントを表示させる場合の、それぞれ第１、第２の運用フローを示す図である。図１０、図１１は、本発明にかかる表示情報個別制御システムにおいて、表示コンテンツとして広告を表示させる場合の、それぞれ第１、第２の運用フローを示す図である。図１２は、本発明にかかる表示情報個別制御システムにおいて、表示要求を受け付けてから表示用データをユーザ端末に送信するまでのフローを示すフローチャートである。図１３は、本発明にかかる表示情報個別制御システムにおいて、ポイントサーバからポイントを収集するフローを示すフローチャートである。図１４は、本発明にかかる表示情報個別制御システムにおいて、ユーザ端末に表示させる広告コンテンツを選択するフローを示すフローチャートである。
【００２３】
図１を用いて、本発明にかかる表示情報個別制御システムの概要について説明する。インターネットを利用するユーザが操作するユーザ端末は、インターネットに接続して様々な情報を提供するコンテンツサーバ等から情報を取得することができる。本発明においては、ユーザ端末のディスプレイのユーザが指定する位置に、ニュース、株価情報等のコンテンツの最新データを表示することができるが、ユーザ端末に格納された情報表示プログラムが起動されると表示情報個別制御サーバにアクセスして、表示情報個別制御サーバにユーザ端末毎にディスプレイ上の表示位置と関連付けて記憶されたコンテンツのアドレス情報を取得して、ディスプレイ上の各々の表示位置にアドレス情報に従ってインターネット上のコンテンツサーバ等から取得した情報を表示する。
【００２４】
本発明において、表示情報個別制御サーバに記憶されるアドレス情報には、不特定多数のインターネットユーザに汎用的に提供される、例えばニュースや株価情報などを提供するコンテンツサーバのＵＲＬに限られず、各々のユーザのために個別に収集されたユーザがＥＣサイト等で獲得したポイント残高を記憶したファイルのファイルパスや、このようなポイント残高を演算するための実行ファイルのファイルパス、各々のユーザの嗜好を分析してユーザの嗜好に合致した広告を選択するための実行ファイルのファイルパス等が指定されている。従って、ユーザ端末から情報表示の要求があると、ニュースや株価情報などを提供するコンテンツサーバのＵＲＬの他に、実行ファイルの動作等によって特定されたユーザが獲得したポイント残高や選択された広告のＵＲＬが、ディスプレイ上の表示位置に関する情報と併せてユーザ端末に送信される。
【００２５】
これらの情報を受信したユーザ端末では、各々のディスプレイ上の表示位置にアドレス情報として指定されたコンテンツサーバのＵＲＬから取得したコンテンツ、広告サーバのＵＲＬから取得した広告や、受信したポイント残高に関する情報を表示する。ユーザ端末からは、断続的に表示情報個別制御サーバに表示要求を送信すること、又は断続的に受信したＵＲＬにアクセスすることよって、表示するコンテンツを随時更新することができる。
【００２６】
ユーザ端末に表示するポイント残高に関する情報は、次のように収集され、演算処理が行われる。第１の方法では、表示情報個別制御サーバにおいてポイント情報を収集するためのプログラムを所定のタイミングで起動し、ユーザが利用しているＥＣサイトからそれぞれ獲得したポイント情報を収集し、表示情報個別制御サーバのポイント残高を演算するプログラムによって、ポイント残高の演算処理を行う。算出されたポイント残高は表示情報個別制御サーバの所定の記憶領域に格納され、ユーザ端末から表示要求を受け付けた場合に、ディスプレイ上で指定された表示位置に関する情報とともに、ユーザ端末に送信される。
【００２７】
第２の方法では、ユーザ端末から表示要求を受け付けた場合に、ユーザ端末のディスプレイ上に表示する情報のリストの中にポイント情報の収集からポイント残高の演算までを行う実行ファイルのファイルパスが指定されていれば、かかる実行ファイルを起動してポイント残高を算出し、算出したポイント残高に関する情報が、ディスプレイ上で指定された表示位置に関する情報とともに、ユーザ端末に送信される。
【００２８】
ユーザ端末に表示する広告の選択は、次のように行われる。第１の方法では、表示情報個別制御サーバにおいてユーザの嗜好に合った広告を選択するためのプログラムを所定のタイミングで起動し、ユーザのアクセスログ等からユーザの嗜好を分析し、ユーザの嗜好に合った広告を特定する。かかる広告を表示するためのデータを格納する広告サーバのＵＲＬが表示情報個別制御サーバのユーザ端末のディスプレイ上に表示する情報のリストに登録され、ユーザ端末から表示要求を受け付けた場合に、ディスプレイ上で指定された表示位置に関する情報とともに、ユーザ端末に送信される。
【００２９】
第２の方法では、ユーザ端末から表示要求を受け付けた場合に、ユーザ端末のディスプレイ上に表示する情報のリストの中にユーザの嗜好に合った広告を選択する実行ファイルのファイルパスが指定されていれば、かかる実行ファイルを起動して広告を特定し、特定された広告を表示するためのデータを格納する広告サーバのＵＲＬ等が、ディスプレイ上で指定された表示位置に関する情報とともに、ユーザ端末に送信される。
【００３０】
尚、これまでの説明では、ユーザ端末のディスプレイ上に表示する情報として、表示情報個別制御サーバからユーザ端末へは主としてコンテンツサーバ等のアドレス情報を送信し、ユーザ端末からアドレスに指定されたコンテンツサーバにアクセスして表示する情報を取得することとしているが、表示情報個別制御サーバにおいてコンテンツサーバから表示する情報を取得して、ディスプレイ上で指定された表示位置に関する情報とともに、ユーザ端末に送信するよう構成してもよい。
【００３１】
図２は、本発明にかかる表示情報個別制御システムの構成を示している。本発明にかかる表示情報個別制御サーバ１０には、少なくともＣＰＵ１１、ＲＡＭ１２、ＲＯＭ１３、ＨＤＤ１４が備えられている。ＨＤＤ１４には、表示情報制御プログラム１４１、ポイント演算プログラム１４２、広告選択プログラム１４３などのアプリケーションプログラムが格納されていて、これらのアプリケーションプログラムによって所定の処理を実行するためには、ＲＯＭ１３に記憶された入力制御や出力制御などのハードウェア制御のための基本的な各種プログラムを起動し、ＲＡＭ１２をアプリケーションプログラムのワークエリアとして機能させながら、ＣＰＵ１１が演算処理を行う。
【００３２】
また、表示情報個別制御サーバ１０はインターネットに接続されていて、ユーザ端末５０からアクセス可能であり、かつ複数のコンテンツサーバ２０〜２２、ポイントサーバ３０〜３２、広告サーバ４０〜４２から情報を取得することが可能なように構成されている。ユーザ端末５０には、ユーザ端末５０のディスプレイ上にユーザが選択した情報を随時更新しながら表示するための、情報表示プログラム５１が格納されている。
【００３３】
ユーザ端末５０を起動してインターネットに接続すると、コンテンツサーバ２０〜２２にアクセスして、様々な情報を取得することができる。ここでユーザ端末５０を操作するユーザが、ディスプレイ上の全部又は一部を表示領域として自らが選択した情報を随時更新しながら表示させたい場合には、ユーザ端末５０の情報表示プログラム５１によって表示情報個別制御サーバ１０にアクセスし、ディスプレイ上の所定の表示位置に表示すべきコンテンツに関する情報を取得する。
【００３４】
表示情報個別制御サーバ１０の個別表示データリスト格納部１５１には、ユーザ毎のディスプレイに表示する情報のリストである個別表示データリストが格納されている。個別表示データリストはユーザ毎に設けられていて、ユーザ端末５０のディスプレイ上の表示位置を指定して、それぞれの表示位置に表示する表示コンテンツのカテゴリ、表示するデータの形式、表示の形式、表示コンテンツのデータが格納されているコンテンツサーバのアドレス等が記憶されている。表示情報個別制御サーバ１０では、ユーザ端末５０からの表示要求を受け付けると、表示情報制御プログラム１４１の動作によってユーザのＩＤ等に対応する個別表示データリストを特定し、ディスプレイに表示するコンテンツデータのアドレスと表示位置、表示形式等に関する情報をユーザ端末５０に送信する。
【００３５】
ユーザ端末５０では、個別表示データリストからディスプレイに表示するコンテンツデータのアドレスと表示位置、表示形式等に関する情報を取得し、コンテンツデータのアドレスとして指定されたコンテンツサーバ２０等にアクセスしてコンテンツデータを取得して、情報表示プログラム５１の動作によって、コンテンツデータを所定の表示形式で各々の表示位置に表示させる。
【００３６】
ディスプレイ上に所定のデータを表示した後も、情報表示プログラム５１は所定のタイミングで表示情報個別制御サーバ１０にコンテンツデータのアドレス等の送信を要求して、上記と同様の動作を繰返してディスプレイ上に表示されるコンテンツを更新する。又は、情報表示プログラム５１は所定のタイミングでコンテンツデータのアドレスとして指定されたコンテンツサーバ２０等にアクセスしてコンテンツデータを取得して、ディスプレイ上に表示されるコンテンツを更新する。
【００３７】
図４は、個別表示データリスト格納部１５１に格納されている個別表示データリストの一例を示している。ユーザＩＤ毎に設けられる個別表示データリストには、各々のコンテンツを表示する表示位置を指定して、表示コンテンツのカテゴリ、表示するデータ形式、表示コンテンツのデータが格納されているコンテンツサーバのアドレス、等が記憶されている。
【００３８】
個別表示データリストに指定する表示位置や表示コンテンツは、ユーザがユーザ端末５０から自由に指定して登録することができる。例えば、ユーザ端末５０のディスプレイに図３の例のように表示位置が指定されている場合、ユーザＩＤ００１のユーザが表示位置Ａに検索サイトを表示したい場合には、ユーザＩＤ００１の個別表示データリストの表示位置Ａのレコードに、コンテンツデータのアドレスとして検索サイトのＵＲＬを登録し、テキスト、動画、静止画等のデータ形式と、継続表示、スクロール表示、点滅表示などの表示形式を併せて指定する。点滅表示であれば、点滅する時間の間隔を指定するフィールドを設けて、点滅時間を設定することとしてもよい。
【００３９】
図４において、表示位置Ｄには、表示コンテンツとしてユーザの獲得した最新のポイント情報を表示するために、表示するコンテンツのアドレスに実行ファイルのファイルパス「￥￥ｐｒｏｇｒａｍ￥ｐｏｉｎｔ．ｅｘｅ」が指定されている。当該ファイルパスにより特定される実行ファイルであるポイント演算プログラム１４２を読み出して起動すると、ユーザが指定した一又は二以上のＥＣサイト等のポイントサーバからユーザが獲得したポイント残高を収集し、収集したポイントからユーザが獲得したポイント残高の合計値を算出する。このように、ポイント演算プログラム１４２によって演算されたポイント残高は、表示位置等に関する情報と併せてユーザ端末５０に送信され、ユーザ端末５０の表示位置Ｄに最新のポイント残高が表示される。
【００４０】
ポイント演算プログラム１４２を起動するタイミングについては、ユーザ端末５０からの表示要求を受け付けたタイミングに限定されるものではなく、例えば一日毎といった所定のタイミングでポイント演算プログラム１４２を起動し、ポイント情報格納部１５２に最新のポイント情報を格納しておいて、個別表示データリストの対応する表示位置についてのアドレス欄には、ポイント情報格納部１５２において最新のポイント残高が記憶されているファイルパス等の所定のアドレスを登録することとしてもよい。
【００４１】
図５は、ポイント情報格納部に格納されるポイント情報の一例を示したものであるが、ユーザが選択したポイント獲得が可能なＥＣサイト等について、各々のサーバのアドレス、獲得した最新のポイント残高、会員番号、パスワード等が格納されている。尚、この例では、各々のポイントサイトにおいて獲得したポイント残高を統合したポータルサイト等で管理する統合ポイントを算出することとしていて、獲得したポイント残高に還元率を乗じて統合ポイントの残高を算出している。
【００４２】
ポイント演算プログラム１４２が起動されると、ユーザＩＤをキーとしてポイント情報格納部１５２に格納されたポイント情報を読み出し、指定されたＵＲＬのポイントサーバ３０等にアクセスして、各々のポイントサイトで獲得したポイント残高を収集する。通常、ポイントサーバへのアクセスに際しては、ログイン時の個人認証のためにポイントサイト毎に定められた会員番号やパスワードの入力が必要となるが、ポイント情報格納部１５２に会員番号とパスワードを予め登録しておくことによって、ポイント残高を自動的に収集することができる。尚、かかる方法の前提として、ユーザ毎に表示情報個別制御サーバ１０により提供されるサービスを利用するためのパスワードを設定しておいて（図５の個別表示データリストのパスワード欄参照。）、表示情報個別制御サーバ１０へのアクセス時において本人認証を行うことが好ましい。
【００４３】
図６は、図５に示したポイントサイトから収集したポイント残高だけではなく、表示情報個別制御サーバ１０により提供されるサービスでのアンケート回答実績や、広告閲覧等によって獲得したポイント残高を含んだポイント情報の一例を示している。このように、ポイント演算プログラム１４２によって演算されるポイント残高は、ポイントサイトから収集したポイント残高に限られず、様々な設定を行うことが可能である。
【００４４】
図４において、表示位置Ｅには、表示コンテンツとしてユーザの嗜好に合致した広告を表示するために、表示するコンテンツのアドレスに実行ファイルのファイルパス「￥￥ｔａｂｌｅ￥ａｄｖｅｒｔｉｓｅ．ｅｘｅ」が指定されている。当該ファイルパスにより特定される実行ファイルである広告選択プログラム１４３を読み出して起動すると、アクセスログ格納部１５３に格納されたユーザのアクセスログやＥＣサイト等での購買履歴（図７の例参照）からユーザの嗜好を解析し、ユーザの嗜好に合致した広告を選択して、当該広告を表示するためのデータが格納された広告サーバ４０等のアドレスを特定する。このように、広告選択プログラム１４３によって選択された広告サーバ４０等のアドレスは、表示位置等に関する情報と併せてユーザ端末５０に送信され、ユーザ端末５０の表示位置Ｅにユーザ向けの広告が表示される。
【００４５】
広告選択プログラム１４３を起動するタイミングについても同様に、ユーザ端末５０からの表示要求を受け付けたタイミングに限定されるものではなく、例えば一日毎といった所定のタイミングで広告選択プログラム１４３を起動し、選択された広告を表示するためのデータが格納された広告サーバ４０等のアドレスを、個別標示データリストの対応する表示位置についてのアドレス欄に登録することとしてもよい。
【００４６】
図２についてのこれまでの説明では、表示情報個別制御サーバ１０から表示要求を受けたユーザ端末５０へ、表示するコンテンツが格納されたコンテンツサーバ２０等のアドレスを送信して、ユーザ端末５０においてコンテンツサーバ２０等から表示するコンテンツデータを取得することとしているが、表示情報個別制御サーバ１０においてコンテンツサーバ２０等から表示するコンテンツデータを取得して、表示要求を受けたユーザ端末５０へ表示するコンテンツデータを送信するよう構成してもよい。
【００４７】
上記の構成において、表示要求を受けた表示情報個別制御サーバ１０は、表示情報制御プログラムの動作によって、個別表示データリスト格納部１５１から読み出した個別表示データリストに指定されたコンテンツサーバ２０等のアドレスからコンテンツデータを取得し、表示位置等と併せてこれらのコンテンツデータをユーザ端末５０に送信する。ポイント残高を表示する場合には、ポイント演算プログラム１４２によって算出されたポイント残高を併せて送信する。広告を表示する場合には、広告選択プログラム１４３によって選択された広告を表示するためのコンテンツデータを広告サーバ４０等から取得して、併せて送信する。
【００４８】
図８、図９を用いて、ユーザ端末の所定の表示位置にポイント残高に関する情報を表示させるための、２つの運用フローについて説明する。図８は、表示コンテンツとしてポイント残高を表示させる場合の第１の運用フローであって、個別表示データリストに最新のポイント情報が記憶されたファイルのファイルパスが指定されているパターンの運用フローを示したものである。
【００４９】
図８の例では、ポイント情報格納部に格納されたユーザが獲得したポイント残高を更新するために、例えば一日毎のように、ポイント演算プログラムが所定のタイミングで起動される。ポイント情報格納部に登録されたアドレスに従って提携ポイントサイトＡ〜ＣのポイントサーバＡ〜Ｃへアクセスし、各々のポイントサーバからユーザが獲得した最新のポイント残高を各々のポイントサーバから収集する。
【００５０】
収集した各々のポイントサイトにおいて獲得した最新のポイント残高については、各々のポイント残高に還元率を乗じた統合ポイントを算出してポイント情報格納部に記録され、さらに全てのポイントサイトの統合ポイントを合計した最新の統合ポイント残高を記録する。その他に、アンケート回答等のポイントサイトでの獲得ポイント以外において獲得したポイント残高を合計して、最終的なポイント残高が記録される。
【００５１】
ここで、ユーザ端末から表示要求を受け付けると、表示位置Ｄには最新のポイント残高の演算結果が記録されたファイルのファイルパスが指定されているので、このファイルにアクセスして最新のポイント残高を取得して、ユーザ端末のディスプレイ上の表示位置Ｄに表示するためのデータとしてユーザ端末へ送信する。
【００５２】
図９は、表示コンテンツとしてポイント残高を表示させる場合の第２の運用フローであって、個別表示データリストにポイント演算プログラムのファイルパスが指定されていて、ユーザ端末からの表示要求があるとの最新のポイント残高を演算するパターンの運用フローを示したものである。
【００５３】
図９の例では、ユーザ端末から表示要求を受け付けると、個別表示データリストの表示位置Ｄのレコードのアドレスには、ポイント演算プログラムのアドレスが指定されている。ここでポイント演算プログラムが起動されて、ユーザＩＤをキーにポイント情報を読み出し、ポイント情報格納部に登録されたアドレスに従って提携ポイントサイトＡ〜ＣのポイントサーバＡ〜Ｃへアクセスし、各々のポイントサーバからユーザが獲得した最新のポイント残高を各々のポイントサーバから収集する。
【００５４】
収集した各々のポイントサイトにおいて獲得した最新のポイント残高については、各々のポイント残高に還元率を乗じた統合ポイントを算出してポイント情報格納部に記録され、さらに全てのポイントサイトの統合ポイントを合計した最新の統合ポイント残高を記録する。その他に、アンケート回答等のポイントサイトでの獲得ポイント以外において獲得したポイント残高を合計して、最終的なポイント残高が算出される。ここで算出した最新のポイント残高は、ポイント情報格納部に格納してもよいが、ユーザ端末に送信するまでメモリ領域に一時記憶させることとしてもよい。ここで算出した最新のポイント残高を、ユーザ端末のディスプレイ上の表示位置Ｄに表示するためのデータとしてユーザ端末へ送信する。
【００５５】
図１０、図１１を用いて、ユーザ端末の所定の表示位置にユーザの嗜好に合わせた広告を表示させるための、２つの運用フローについて説明する。図１０は、表示コンテンツとして広告を表示させる場合の第１の運用フローであって、個別表示データリストにユーザの嗜好に合わせた広告コンテンツを格納する広告サーバのアドレスが指定されているパターンの運用フローを示したものである。
【００５６】
図１０の例では、ユーザの嗜好に合った広告コンテンツを選択するために、例えば一日毎のように、広告選択プログラムが所定のタイミングで起動される。アクセスログ格納部に格納されたアクセスログやＥＣサイトでの購入履歴等のログを解析して、ユーザの嗜好に合った広告コンテンツを特定する。選択された広告コンテンツについて、広告コンテンツを表示するためのコンテンツデータが格納された広告サーバのアドレスを、個別表示データリストの広告コンテンツを表示する位置のレコードに記録する。
【００５７】
ここで、ユーザ端末から表示要求を受け付けると、表示位置Ｆには広告コンテンツを表示するための広告サーバのアドレスが指定されているので、このアドレスをユーザ端末のディスプレイ上の表示位置Ｄに表示するためのデータとしてユーザ端末へ送信する。ユーザ端末では受信したアドレスの広告サーバにアクセスし、コンテンツデータを取得して表示位置Ｄに広告を表示する。
【００５８】
尚、上記のパターンにおいては、表示情報個別制御サーバ側で予め広告サーバから広告用の画像ファイル等を取得しておき、広告サーバのＵＲＬに換えて、広告用の画像ファイル等を格納したファイルパス等を指定しておいて、ユーザ端末から表示要求を受け付けた場合にはこの広告用の画像ファイル等を送信することとしてもよい。
【００５９】
図１１の例では、ユーザ端末から表示要求を受け付けると、個別表示データリストの表示位置Ｆのレコードのアドレスには、広告選択プログラムのアドレスが指定されている。ここで広告選択プログラムが起動されて、アクセスログ格納部に格納されたアクセスログやＥＣサイトでの購入履歴等のログを解析して、ユーザの嗜好に合った広告コンテンツを特定する。
【００６０】
ここで選択された広告コンテンツを表示するためのコンテンツデータが格納された広告サーバのアドレスを、ユーザ端末のディスプレイ上の表示位置Ｆに表示するためのデータとしてユーザ端末へ送信する。又は、表示情報個別制御サーバ側で広告サーバから広告用の画像ファイル等を取得し、この広告用の画像ファイル等を送信することとしてもよい。
【００６１】
図１２のフローチャートは、本発明にかかる表示情報個別制御システムにおいて、表示要求を受け付けてから表示用データをユーザ端末に送信するまでのフローを示している。尚、図１２〜図１４のフローチャートは、個別表示データリストに実行ファイルのアドレスが指定されていて、表示要求をトリガとして実行ファイルを起動する実施形態に対応するものであって、他の実施形態として、実行ファイルを表示要求に関わらず所定のタイミングで起動するよう構成してもよいことは、先に説明したとおりである。
【００６２】
表示情報個別制御サーバが、ユーザ端末からユーザＩＤが特定された表示要求を受付けると（Ｓ０１）、ユーザＩＤをキーに当該ユーザ端末に表示するデータが登録された個別表示データリストを読み出す（Ｓ０２）。読み出した個別表示データリストの表示コンテンツとして、ポイントに関する情報が指定されているか否かを確認し（Ｓ０３）、指定されている場合にはパスワードを要求して（Ｓ０４）、入力されたパスワードと個別表示データリストに登録されたパスワードが一致するかによって、本人確認を行う（Ｓ０５）。パスワードが一致しない場合には、エラー処理を実行することとする（Ｓ０６）。
【００６３】
表示コンテンツとしてポイントに関する情報が指定されていない場合、又はパスワードが一致した場合には、個別表示データリストにおいて指定されたアドレスが実行ファイルのアドレスであるかを確認する（Ｓ０７）。実行ファイルのアドレスが指定されている場合には、指定されたアドレスから実行ファイルを読み出して起動し（Ｓ０９）、実行ファイルによる演算結果を、ユーザ端末での表示用のデータとして特定する（Ｓ１０）。実行ファイルのアドレスが指定されていない場合には、登録されたアドレスを、ユーザ端末での表示用のデータとして特定する（Ｓ０８）。
【００６４】
演算結果又はアドレスが特定されると、個別表示データリストに次の表示コンテンツがあるかを確認し（Ｓ１１）、次の表示コンテンツがある場合には、アドレスの確認から演算結果又はアドレスの特定までの処理（Ｓ０７〜Ｓ１０）を繰り返す。次の表示コンテンツがない場合には、特定した全てのアドレス及び演算結果を、表示用のデータとしてユーザ端末へ送信し（Ｓ１２）、処理を終了する。
【００６５】
図１３のフローチャートは、本発明にかかる表示情報個別制御システムにおいて、ポイントサーバからポイントを収集するフローを示しており、図１２におけるＳ０９〜Ｓ１０においてポイントを演算する実行ファイルを起動する場合の例となる。
【００６６】
ポイント演算プログラムが起動されると（Ｓ２１）、ポイント情報格納部にアクセスして（Ｓ２２）、ユーザＩＤをキーとしてユーザの獲得したポイント残高に関するポイント情報を特定する（Ｓ２３）。特定したポイント情報において指定されている、各々のポイントサーバに対応する会員番号及びパスワードを取得して（Ｓ２４）、取得した会員番号及びパスワードを用いて各々のポイントサーバへアクセスし、各々のポイントサーバからユーザが獲得したポイント残高を取得する（Ｓ２５）。取得したポイント残高を各々記録しておいて（Ｓ２６）、ポイント情報において設定されている還元率を反映した統合ポイントの残高を算出する（Ｓ２７）。算出した統合ポイント残高から、ユーザ端末の所定の表示位置に表示するためのデータとして、ポイント情報を特定する（Ｓ２８）。
【００６７】
図１４のフローチャートは、本発明にかかる表示情報個別制御システムにおいて、ユーザ端末に表示させる広告コンテンツを選択するフローを示しており、図１２におけるＳ０９〜Ｓ１０においてポイントを演算する実行ファイルを起動する場合の例となる。
【００６８】
広告選択プログラムが起動されると（Ｓ３１）、ユーザＩＤをキーとしてユーザのアクセスログが読み出される（Ｓ３２）。読み出したアクセスログを解析してユーザの嗜好を分析し（Ｓ３３）、ユーザが興味や関心を持つと推測されるカテゴリ等の広告コンテンツを選択し（Ｓ３４）、選択した広告コンテンツの格納された広告サーバのアドレス等を、ユーザ端末の所定の表示位置に表示するためのデータとして特定する。
【図面の簡単な説明】
【００６９】
【図１】本発明にかかる表示情報個別制御システムの概要を示すである。
【図２】本発明にかかる表示情報個別制御システムの構成を示すブロック図である。
【図３】本発明にかかる表示情報個別制御システムにおけるユーザ端末のディスプレイの表示レイアウトの一例を示す図である。
【図４】本発明にかかる表示情報個別制御システムにおける個別表示データリストの一例を示す図である。
【図５】本発明にかかる表示情報個別制御システムにおけるポイント情報の一例を示す第１の図である。
【図６】本発明にかかる表示情報個別制御システムにおけるポイント情報の一例を示す第２の図である。
【図７】本発明にかかる表示情報個別制御システムにおけるアクセスログの一例を示す図である。
【図８】本発明にかかる表示情報個別制御システムにおいて、表示コンテンツとしてポイント残高を表示させる場合の第１の運用フローを示す図である。
【図９】本発明にかかる表示情報個別制御システムにおいて、表示コンテンツとしてポイント残高を表示させる場合の第２の運用フローを示す図である。
【図１０】本発明にかかる表示情報個別制御システムにおいて、表示コンテンツとして広告を表示させる場合の第１の運用フローを示す図である。
【図１１】本発明にかかる表示情報個別制御システムにおいて、表示コンテンツとして広告を表示させる場合の第２の運用フローの一例を示す図である。
【図１２】本発明にかかる表示情報個別制御システムにおいて、表示要求を受け付けてから表示用データをユーザ端末に送信するまでのフローを示すフローチャートである。
【図１３】本発明にかかる表示情報個別制御システムにおいて、ポイントサーバからポイントを収集するフローを示すフローチャートである。
【図１４】本発明にかかる表示情報個別制御システムにおいて、ユーザ端末に表示させる広告コンテンツを選択するフローを示すフローチャートである。
【符号の説明】
【００７０】
１０    表示情報個別制御サーバ
１１    ＣＰＵ
１２    ＲＡＭ
１３    ＲＯＭ
１４    ＨＤＤ
１４１  表示情報制御プログラム
１４２  ポイント演算プログラム
１４３  広告選択プログラム
１５１  個別表示データリスト格納部
１５２  ポイント情報格納部
１５３  アクセスログ格納部
２０    コンテンツサーバ
２１    コンテンツサーバ
２２    コンテンツサーバ
３０    ポイントサーバ
３１    ポイントサーバ
３２    ポイントサーバ
４０    広告サーバ
４１    広告サーバ
４２    広告サーバ
５０    ユーザ端末
５１    情報表示プログラム
【図１】
2007188403.tif 000003
【図２】
2007188403.tif 000004
【図３】
2007188403.tif 000005
【図４】
2007188403.tif 000006
【図５】
2007188403.tif 000007
【図６】
2007188403.tif 000008
【図７】
2007188403.tif 000009
【図８】
2007188403.tif 000010
【図９】
2007188403.tif 000011
【図１０】
2007188403.tif 000012
【図１１】
2007188403.tif 000013
【図１２】
2007188403.tif 000014
【図１３】
2007188403.tif 000015
【図１４】
2007188403.tif 000016